(57)【特許請求の範囲】
【請求項１】
鏡の上下端を壁に固定された係合部品により係止して取り付けられた鏡の取付構造において、
壁面に固定される下側固定板と、上記下側固定板の下端に形成され、鏡の下端を上方からの嵌め込みにより係止するための下側鉤状係止部とを有する下側係合部品と、
壁面に固定される上側固定板と、上記上側固定板の上端に形成され、鏡の上端を下方からの嵌め込みにより係止するための上側鉤状係止部とを有する上側係合部品とを備え、
上記上側固定板は、
上方向に延びる第１の経路と、上記第１の経路の上端から一の水平方向に延びる第２の経路とを有する上側挿通孔Ａと、
上記一の水平方向に延びる第３の経路と、上記第３の経路の終端から上方向に延びる第４の経路と、上記第４の経路の上端から上記一の水平方向へ延びる第５の経路とを有する上側挿通孔Ｂと、
を介して上記壁面にビスで螺着されていること
を特徴とする鏡の取付構造。
【請求項２】
上記下側固定板は、上下方向に延びる下側挿通孔を介して上記壁面にビスで螺着されていること
を特徴とする請求項１記載の鏡の取付構造。
【請求項３】
上記上側挿通孔Ａは、上記第２の経路のほぼ終端にビスが挿通されて螺着され、
上記上側挿通孔Ｂは、上記第５の経路のほぼ終端にビスが挿通されて螺着されていること
を特徴とする請求項１又は２記載の鏡の取付構造。
【請求項４】
鏡の上下端を壁に固定された係合部品により係止して取り付ける鏡の取付方法において、
下側固定板及び上記下側固定板の下端に形成される下側鉤状係止部を有する下側係合部品を壁面に仮固定するとともに、上方向に延びる第１の経路と、上記第１の経路の上端から一の水平方向に延びる第２の経路とを有する上側挿通孔Ａと、上記一の水平方向に延びる第３の経路と、上記第３の経路の終端から上方向に延びる第４の経路と、上記第４の経路の上端から上記一の水平方向へ延びる第５の経路とを有する上側挿通孔Ｂとを有する上側固定板について、上側挿通孔Ａにおける第１の経路のほぼ下端を介してビスａを壁面に螺着させるとともに上側挿通孔Ｂにおける上記第３の経路の始端を介してビスｂを壁面に螺着することで仮固定する仮固定工程と、
上記下側係合部品に対して鏡の下端を上方から嵌め込む鏡嵌め込み工程と、
上記第１の経路に沿って上記ビスａが上記第１の経路の上端に位置するまで、上記上側固定板及び上記上側固定板の上端に形成される上側鉤状係止部を有する上側係合部品をスライドさせ、上記第３の経路に沿って上記ビスｂが上記第３の経路の終端に位置するまで上記上側係合部品をスライドさせ、上記第４の経路に沿って上記ビスｂが上記第４の経路の上端に位置するまで上記上側係合部品をスライドさせ、更に上記第２の経路に沿って上記ビスａが第２の経路のほぼ終端に位置するまで並びに上記第５の経路に沿って上記ビスｂが第５の経路のほぼ終端に位置するまで上記上側係合部品をスライドさせることにより、上記上側係合部品に対して鏡の上端を下方から嵌め込む上側係合部品スライド工程とを有すること
を特徴とする鏡の取付方法。
【請求項５】
上記スライド工程では、上記鏡に対する上側係合部品の水平方向の位置調整を第２の経路、上記第５の経路に沿ってビスａ、ｂに対して移動させることにより行い、又は上記鏡に対する下側係合部品の上下方向の位置調整を当該下側係合部品における上下方向に延びる下側挿通孔を介して上記壁面に螺着されたビスに対して移動させることにより行うこと
を特徴とする請求項４記載の鏡の取付方法。
【発明の詳細な説明】
【技術分野】
【０００１】
本発明は、鏡の上下端を壁に固定された係合部品により係止して取り付けられた鏡の取付構造及びその取付方法に関するものである。
【背景技術】
【０００２】
一般に浴室ユニットやシャワーユニット等の壁面には、鏡が固定されている。このような壁面に対して鏡を取り付ける際には、壁面の鏡設置位置に合わせて断面鉤状に折曲形成された下側係合部品をビスを介して固定するとともに、同様に断面鉤状に折曲形成された上側係合部品を壁面に仮固定する。次にこれら下側係合部品と上側係合部品のそれぞれにおける鉤状部分に鏡を嵌合させ、更に仮固定した上側係合部品を強制的にスライドさせることにより、鏡の上端嵌め込むことにより強固に固定する（例えば、特許文献１参照。）。
【０００３】
図１３は、従来における上側係合部品７０の例を示している。上側係合部品７０は、壁面に固定される上側固定板７１と、上側固定板７１の上端に形成され、鏡の上端を下方からの嵌め込みにより係止するための上側鉤状係止部７２とを有している。そして、この上側固定板７１には、パッキン７３が配設されており、壁面の表面に沿って設置される鏡を弾性支持可能としている。また、上側固定板７１には、ビス７６を挿通させるための挿通孔７４が設けられている。この挿通孔７４は、長手方向が上下方向とされた縦長の形状とされている。
【０００４】
上側係合部品７０を壁面へ仮固定する際には、図１３に示すように、ビス７６を挿通孔７４における下端付近に螺着させる。次に図１４に示すように、図示しない下側係合部品と、上側係合部品７０との間に鏡８０を嵌め込む。このとき、ビス７６は挿通孔７４の下端にあることから、上側係合部品７０が鏡８０に対して上側に離間した位置で仮固定された状態となっている。
【０００５】
次に図１５に示すように、挿通孔７４に対してビス７６が上端に位置するまで上側係合部品７０を下方向に向けてスライドさせる。これにより、鏡８０は、上側係合部品７０における上側鉤状係止部７２により嵌め込み係止されることになり、安定した状態で固定されることとなる。
【０００６】
なお、このような壁面に対する鏡の取付構造としては、上述した例に限定されるものではなく、例えば特許文献２に示すように、上側係合部品の挿通孔をＬ字型で構成したものも提案されている。また、鏡の高さ調整機構としては、溝を斜め上方へ延長させた特許文献３の開示技術も提案されている。
【先行技術文献】
【特許文献】
【０００７】
【特許文献１】特開２０００−１５２８６１号公報
【特許文献２】実開平４−０００２５９号公報
【特許文献３】実開平６−０５０５６３号公報
【特許文献４】特開平７−２４１２３１号公報
【特許文献５】特開平９−８４６７２号公報
【発明の概要】
【発明が解決しようとする課題】
【０００８】
しかしながら、上述した図１３に示す構成からなる上側係合部品は、実際にバスユニットのユーザが何かの拍子に上側係合部品７０を上方向にスライドさせてしまうと鏡が上側係合部品７０から外れてしまい、そのままバスユニットの床に落下して破損してしまう事故が報告されている。特にこの鏡の設置業者が実際に上側係合部品を下方向にスライドさせて鏡を係合させる工程において、当該上側係合部品７０をしっかりと下まで押し下げることなく、誤って途中まで押し下げた状態で設置されてしまう場合もある。かかる場合にユーザが上側係合部品７０に僅かに手を触れただけで、ビス７６が挿通孔７４の上端に位置するまで動いてしまい、その結果、鏡が外れて落下してしまう虞があった。
【０００９】
なお、鏡の落下を強固に防止する観点から、例えば特許文献４〜５に示すような、係合部材にバネを配設し、当該バネの弾発力を利用して鏡を強固に固定する技術も提案されている。しかしながら、係合部材にバネを設けた場合においても、係合部品の配置位置がずれている場合には鏡の落下を完全に防止することができないという問題点があった。またバネを設ける分において製造コストが増大してしまうという問題点もあった。
【００１０】
なお、鏡の落下を強固に防止するために、従来は、鏡を上側係合部品、下側係合部品に嵌合させた後、コーキング剤を用いてコーキングする方法も提案されている。
【００１１】
しかしながら、コーキング剤を使用することによる材料コストの増大、コーキング処理に伴う施工労力の増大に加え、コーキング剤が乾燥するまでの乾燥時間が必要となり、使用可能になるまでの時間が長期化し、少しでも早くバスユニットを利用したいユーザの希望に応えることができないという問題点もあった。このため、コーキング剤を用いることなく、しかも鏡の落下を強固に防止できる鏡の取付構造に対する社会的な要請が特に大きかった。
【００１２】
そこで本発明は、上述した問題点に鑑みて案出されたものであり、その目的とするところは、浴室ユニットやシャワーユニット等の壁面に鏡を取り付ける際において、コーキング処理を施すことなく、鏡を安定した状態で取り付けることで落下を強固に防止することが可能な鏡の取付構造、鏡の取付方法を提供することにある。
【課題を解決するための手段】
【００１３】
本発明を適用した鏡の取付構造は、上述した課題を解決するために、鏡の上下端を壁に固定された係合部品により係止して取り付けられた鏡の取付構造において、壁面に固定される下側固定板と、上記下側固定板の下端に形成され、鏡の下端を上方からの嵌め込みにより係止するための下側鉤状係止部とを有する下側係合部品と、壁面に固定される上側固定板と、上記上側固定板の上端に形成され、鏡の上端を下方からの嵌め込みにより係止するための上側鉤状係止部とを有する上側係合部品とを備え、上記上側固定板は、上方向に延びる第１の経路と、上記第１の経路の上端から一の水平方向に延びる第２の経路とを有する上側挿通孔Ａと、上記一の水平方向に延びる第３の経路と、上記第３の経路の終端から上方向に延びる第４の経路と、上記第４の経路の上端から上記一の水平方向へ延びる第５の経路とを有する上側挿通孔Ｂと、を介して上記壁面にビスで螺着されていることを特徴とする。
【００１４】
本発明を適用した鏡の取付方法は、鏡の上下端を壁に固定された係合部品により係止して取り付ける鏡の取付方法において、下側固定板及び上記下側固定板の下端に形成される下側鉤状係止部を有する下側係合部品を壁面に仮固定するとともに、上方向に延びる第１の経路と、上記第１の経路の上端から一の水平方向に延びる第２の経路とを有する上側挿通孔Ａと、上記一の水平方向に延びる第３の経路と、上記第３の経路の終端から上方向に延びる第４の経路と、上記第４の経路の上端から上記一の水平方向へ延びる第５の経路とを有する上側挿通孔Ｂとを有する上側固定板について、上側挿通孔Ａにおける第１の経路のほぼ下端を介してビスａを壁面に螺着させるとともに上側挿通孔Ｂにおける上記第３の経路の始端を介してビスｂを壁面に螺着することで仮固定する仮固定工程と、上記下側係合部品に対して鏡の下端を上方から嵌め込む鏡嵌め込み工程と、上記第１の経路に沿って上記ビスａが上記第１の経路の上端に位置するまで、上記上側固定板及び上記上側固定板の上端に形成される上側鉤状係止部を有する上側係合部品をスライドさせ、上記第３の経路に沿って上記ビスｂが上記第３の経路の終端に位置するまで上記上側係合部品をスライドさせ、上記第４の経路に沿って上記ビスｂが上記第４の経路の上端に位置するまで上記上側係合部品をスライドさせ、更に上記第２の経路に沿って上記ビスａが第２の経路のほぼ終端に位置するまで並びに上記第５の経路に沿って上記ビスｂが第５の経路のほぼ終端に位置するまで上記上側係合部品をスライドさせることにより、上記上側係合部品に対して鏡の上端を下方から嵌め込む上側係合部品スライド工程とを有することを特徴とする。
【発明の効果】
【００１５】
上述した構成からなる本発明によれば、バスユニットのユーザが何かの拍子に上側係合部品をスライドさせてしまった場合においても、鏡が急に落下することが無くなり、何段階にも亘り上側係合部品が止まることとなり、鏡の落下を何段階にも亘り防止することが可能となる。
【００１６】
また、本発明によれば、係合部品にバネを設ける必要も無く、鏡の落下を強固に防止することができるため、製造コストの低減を図ることも可能となる。また本発明によれば、コーキング剤を使用することなく鏡の落下を強固に防止することも可能となることから、材料コストの低減、コーキング処理に伴う施工労力の低減に加え、コーキング剤が乾燥して使用可能となるまでの時間を考慮する必要も無くなることから、少しでも早くバスユニットを利用したいユーザの希望に応えることも可能となる。
【図面の簡単な説明】
【００１７】
【図１】本発明を適用した鏡の取付構造が適用されるバスユニットの構成例を示す図である。
【図２】鏡の取付構造の分解斜視図を示す図である。
【図３】上側係合部品の拡大斜視図である。
【図４】下側係合部品の拡大斜視図である。
【図５】（ａ）は、上側係合部品の平面図であり、ｂ）は、上側係合部品の正面図である。
【図６】（ａ）は、下側係合部品の平面図であり、（ｂ）は、下側係合部品の正面図である。
【図７】このような上側係合部品、下側係合部品を介して鏡を取り付けた状態を示す図である。
【図８】（ａ）は、壁面に対して下側係合部品を仮固定した状態を示す図であり、（ｂ）は、壁面に対して上側係合部品を仮固定した状態を示す図である。
【図９】上側係合部品と、下側係合部品との間に鏡を嵌め込んだ状態を示す図である。
【図１０】（ａ）は、上側係合部品におけるビスの初期位置を示した図であり、（ｂ）は、第１の経路に沿ってビスを移動させた状態を示す図である。
【図１１】第３の経路、第４の経路に沿ってビスをスライドさせる例を示す図である。
【図１２】、第２の経路並びに第５の経路に沿ってビスをスライドさせる例を示す図である。
【図１３】従来における上側係合部品の例を示す図である。
【図１４】従来における鏡を嵌め込む例を示す図である。
【図１５】従来における上側係合部品の固定方法について説明するための図である。
【発明を実施するための形態】
【００１８】
以下、本発明の実施の形態としての鏡の取付構造について図面を参照しながら詳細に説明する。
【００１９】
図１は、本発明を適用した鏡の取付構造が適用されるバスユニット１の構成例を示している。
【００２０】
このバスユニット１は、例えば浴槽ユニット３と、浴槽ユニット３に隣接する洗い場７とを備え、浴槽ユニット３と洗い場７の上部空間を囲って内空部に浴室を形成する壁ユニット４と、天井ユニット５とを設けている。また、少なくとも一の壁ユニット４ａには、シャワー８、鏡９、手すり１０等が設けられ、さらに脱衣室への出入口となる図示しないドアユニットを設けて構成されている。鏡９は、上端、下端が壁に固定された上側係合部品１１、下側係合部品１２により係止して取り付けられている。
【００２１】
図２は、この鏡９の取付構造の分解斜視図を示している。また、図３は、上側係合部品１１の拡大斜視図を、図４は、下側係合部品１２の拡大斜視図を示している。また図５（ａ）は、上側係合部品１１の平面図を、図５（ｂ）は、上側係合部品１１の正面図を示している。図６（ａ）は、下側係合部品１２の平面図を、図６（ｂ）は、下側係合部品１２の正面図を示している。
【００２２】
上側係合部品１１は、上側固定板２１と、上側固定板２１の上端に形成され上側固定板２１に対して略直交方向に折り曲げられた上側頂面板２２と、上側頂面板２２の端部から略直交方向に折り曲げられ、かつ上側固定板２１と略平行となるように延長された上側係止板２３とを備えている。この上側頂面板２２と上側係止板２３とにより、上側固定板２１に対して略鉤状を形成するように構成され、側面視で略コ字を描くように折り曲げられることとなる。因みに、上述した例では、上側係合部品１１を構成する各面材２１〜２３が互いに略直交方向に折り曲げられる点を例に挙げているがこれに限定されるものではなく、折曲げ角９０°に対して多少増減するものであってもよいことは勿論である。
【００２３】
上側係合部品１１は、金属製で構成されることが前提となるが、これに限定されるものではなく、樹脂製等の材料で構成されるものであってもよい。
【００２４】
上側固定板２１には、少なくとも２以上のパッキン材２４が設けられている。このパッキン材２４の材質としてはゴム等を始めとした弾性体で構成されている。本実施の形態においては、上側固定板２１の左右両側にそれぞれパッキン材２４が設けられている場合を例に挙げている。
【００２５】
また、上側頂面板２２においても同様に、少なくとも２以上のパッキン材２５が設けられている。パッキン材２５についても同様にゴム等を始めとした弾性体で構成されている。本実施の形態においては、パッキン材２５は、パッキン材２４の外側の位置において左右両側に設けられている場合を例に挙げている。
【００２６】
ちなみに、パッキン材２４は、上側係合部品１１への嵌合時の衝撃を和らげる役割を果たすとともに、上側係合部品１１が鏡９に対してずれないようにするための抵抗として作用させるものである。またパッキン材２５は、上側係合部品１１が鏡９へ接触することによる音鳴りを防止するとともに上側係合部品１１が鏡９に対してずれないようにするための抵抗として作用させるものである。
【００２７】
更に上側固定板２１には、上側挿通孔Ａが開削されている。この上側挿通孔Ａは、上方向に延びる第１の経路Ａ１と、第１の経路Ａ１の上端から一の水平方向Ｘに延びる第２の経路Ａ２とを有する。ここで第１の経路Ａ１は、あくまで上方向に延びていれば、第２の経路Ａ２に対して必ずしも直交するものでなくてもよい。但し、本実施形態においては、この第１の経路Ａ１と第２の経路Ａ２が互いに直交する場合を例に挙げており、上側挿通孔ＡはＬ字状で構成されている場合を例に挙げている。
【００２８】
また、上側固定板２１には、上側挿通孔Ｂが開削されている。上側挿通孔Ｂは、一の水平方向Ｘに延びる第３の経路Ｂ１と、第３の経路Ｂ１の終端から上方向に延びる第４の経路Ｂ４と、第４の経路Ｂ４の上端から一の水平方向Ｘへ延びる第５の経路Ｂ５とを有している。ここで第４の経路Ｂ２は、第３の経路Ｂ１に対して必ずしも直交するものでなくてもよいが、少なくとも第４の経路Ｂ２と第３の経路Ｂ１との挟角は、第１の経路Ａ１と第２の経路Ａ２との挟角と同一とされている必要がある。勿論第１の経路Ａ１と第２の経路Ａ２との挟角が互いに直交するものであれば、第３の経路Ｂ１と第４の経路Ｂ２とが互いに直交するものである必要がある。同様に第５の経路Ｂ３は、第４の経路Ｂ２に対して必ずしも直交するものでなくてもよいが、少なくとも第５の経路Ｂ３と第４の経路Ｂ２との挟角は、第１の経路Ａ１と第２の経路Ａ２との挟角と同一とされている必要がある。勿論第１の経路Ａ１と第２の経路Ａ２との挟角が互いに直交するものであれば、第５の経路Ｂ３と第４の経路Ｂ２とが互いに直交するものである必要がある。
【００２９】
因みに第２の経路Ａ２の延長方向、第３の経路Ｂ１の延長方向、第５の経路Ｂ３の延長方向Ｘは、図中矢印で示される左向き方向とされているが、これが右向き方向とされていてもよい。かかる場合においても、第２の経路Ａ２の延長方向、第３の経路Ｂ１の延長方向、第５の経路Ｂ３の延長方向Ｘは右向きになるのみであり、他の構成は上述と同様である。
【００３０】
また、本実施形態においては、上側挿通孔Ａが右側に位置し、上側挿通孔Ｂが左側に位置している場合を例に挙げて説明をしているが、これに限定されるものではなく、上側挿通孔Ａが左側に位置し、上側挿通孔Ｂが右側に位置しているものであってもよい。
【００３１】
下側係合部品１２は、下側固定板３１と、下側固定板３１の下端に形成され下側固定板３１に対して略直交方向に折り曲げられた下側底面板３２と、下側底面板３２の端部から略直交方向に折り曲げられ、かつ下側固定板３１と略平行となるように延長された下側係止板３３とを備えている。この下側底面板３２と下側係止板３３とにより、下側固定板３１に対して略鉤状を形成するように構成され、側面視で略コ字を描くように折り曲げられることとなる。因みに、上述した例では、下側係合部品１２を構成する各面材３１〜３３が互いに略直交方向に折り曲げられる点を例に挙げているがこれに限定されるものではなく、折曲げ角９０°に対して多少増減するものであってもよいことは勿論である。
【００３２】
下側係合部品１２は、金属製で構成されることが前提となるが、これに限定されるものではなく、樹脂製等の材料で構成されるものであってもよい。
【００３３】
下側固定板３１には、少なくとも２以上のパッキン材３４が設けられている。このパッキン材３４の材質としてはゴム等を始めとした弾性体で構成されている。本実施の形態においては、下側固定板３１において４つのパッキン材３４が設けられている場合を例に挙げている。
【００３４】
また、下側底面板３２においても同様に、少なくとも２以上のパッキン材３６が設けられている。パッキン材３６についても同様にゴム等を始めとした弾性体で構成されている。
【００３５】
ちなみに、これらパッキン材３４は、下側係合部品１２への嵌合時の衝撃を和らげる役割を果たすとともに、下側係合部品１２が鏡９に対してずれないようにするための抵抗として作用させるものである。またパッキン材３６は、下側係合部品１２が鏡９へ接触することによる音鳴りを防止するとともに下側係合部品１２が鏡９に対してずれないようにするための抵抗として作用させるものである。
【００３６】
更に下側固定板３１には、長孔３７と丸孔３８とが開削されている。長孔３７は、長手方向が上下方向となるように設けられており、左右両側に２箇所に亘り設けられている。また丸穴３８は、略円形で構成されてなる貫通穴であって、長孔３７に隣接するように２箇所に亘りも受けられている。
【００３７】
図７は、このような上側係合部品１１、下側係合部品１２を介して鏡９を取り付けた状態を示している。
【００３８】
上側係合部品１１における上側挿通孔Ａ、Ｂを介してビス４１、４２が壁面に螺着されている。この上側挿通孔Ａにおいてビス４１は、第２の経路Ａ２の終端において螺着固定されている。上側挿通孔Ｂにおいてビス４２は、第５の経路Ｂ３の終端において螺着固定されている。
【００３９】
また、下側係合部品１２における長孔３７には、ビス４３が、また丸孔３８には、ビス４４が螺着固定されている。
【００４０】
また、上側係合部品１１は、その上側頂面板２２と上側係止板２３とにより形成される鉤状係止部を介して、鏡９の上端を下方からの嵌め込みにより係止して固定する。また、下側係合部品１２は、下側底面板３２と下側係止板３３とにより形成される鉤状係止部を介して、鏡９の上端を下方からの嵌め込みにより係止して固定する。
【００４１】
次に鏡９を実際に取り付ける方法について説明をする。
【００４２】
先ず、図８（ａ）に示すように、壁面に対して下側係合部品１２を仮固定する。この下側係合部品１２を仮固定する際には、長孔３７に対してのみビス４４が螺着固定し、丸孔３８に対してはビス４４を螺着固定しないことが望ましい。長孔３７に対してのみビス４４を螺着固定することにより、この下側係合部品１２を上下方向へ自在に移動させることが可能となり、高さ調整を行うことが可能となるためである。
【００４３】
次に、図８（ｂ）に示すように、壁面に対して上側係合部品１１を仮固定する。この仮固定するのは、上側挿通孔Ａにおける第１の経路Ａ１のほぼ下端を介してビス４１を壁面に螺着させるとともに上側挿通孔Ｂにおける第３の経路Ｂ１の始端を介してビス４２を壁面に螺着する。上側係合部品１１を壁面に対して仮固定した段階で、再度、上側係合部品１１と下側係合部品１２との間におけるピッチを調整するようにしてもよい。このピッチ調整も下側係合部品１２を上下方向へ自在に移動させることにより行うようにしてもよい。
【００４４】
なお、この上側係合部品１１の仮固定と、下側係合部品１２の仮固定は、その順序が入れ替わるものであってもよい。
【００４５】
次に図９に示すように鏡９を嵌め込む。この段階では、下側係合部品１２に対して上側係合部品１１の位置を、鏡のサイズよりも広めにしておくことにより、鏡９を下側係合部品１２と上側係合部品１１との間に容易に嵌め込むことができる。但し、この段階においては、下側係合部品１２における下側底面板３２と下側係止板３３とにより形成される鉤状係止部を介して、鏡９を嵌め込むことが可能となるが、上側係合部品１１と鏡９との間は離間していることから、当該上側係合部品１１により係止されている状態には無い。
【００４６】
次に図１０（ａ）は、上側係合部品１１におけるビス４１、４２の初期位置を示したものである。次の段階として図１０（ｂ）に示すように、第１の経路Ａ１に沿ってビス４１が第１の経路Ａ１の上端に位置するまで上側係合部品１１をスライドさせる。つまり、上側係合部品１１の右側についてより力を入れて押し込むことにより、ビス４１を第１の経路Ａ１の上端に位置させ、上側係合部品１１を右斜め方向に傾斜させることが可能となる。この過程では、ビス４２を中心としてビス４１が第１の経路Ａ１内において円運動することとなる。このため、第１の経路Ａ１は、かかるビス４１の円運動に対応できるようにするため、幅を広めに構成しておくことが望ましい。この段階で、鏡９は、少なくとも上側係合部品１１における上側係止板２３の一端により係止されることとなる。この上側係合部品１１を介した係止により鏡９は、とりあえず落下してしまうのを防止することが可能となる。
【００４７】
次に図１１（ａ）に示すように、第３の経路Ｂ１に沿ってビス４２が第３の経路Ｂ１の終端に位置するまで上側係合部品１１をスライドさせる。その結果、上側係合部品１１は、僅かに左側に位置がシフトした状態となる。またビス４１は、第２の経路Ａ２の途中に位置することになる。
【００４８】
次に図１１（ｂ）に示すように、第４の経路Ｂ２に沿ってビス４２が第４の経路Ｂ２の上端に位置するまで上側係合部品１１をスライドさせる。この過程では、ビス４１を中心としてビス４２が第４の経路Ｂ２内において円運動することとなる。このため、第４の経路Ｂ２は、かかるビス４２の円運動に対応できるようにするため、幅を広めに構成しておくことが望ましい。この段階で鏡９は、上側係止板２３を通じて係止されることとなる。
【００４９】
次に図１２に示すように、第２の経路Ａ２に沿ってビス４１が第２の経路Ａ２のほぼ終端に位置するまで、並びに第５の経路Ｂ３に沿ってビス４２が第５の経路Ｂ３のほぼ終端に位置するまで上側係合部品１１をスライドさせる。その結果、上側挿通孔Ａにおいてビス４１は、第２の経路Ａ２の終端において位置することとなり、上側挿通孔Ｂにおいてビス４２は、第５の経路Ｂ３の終端において位置することとなる。これにより、鏡９は、上側係止板２３を通じて安定して係止されることとなる。
【００５０】
なお、この段階において、鏡９に対する上側係合部品１１の水平方向の位置調整を第２の経路Ａ２、第５の経路Ｂ３に沿ってビス４１、４２に対して移動させて実現するようにしてもよい。例えば、鏡９を柱に寄せて設置したい場合や、柱に対して間隔を設けて設置したい場合もあるが、鏡９をこの上側係合部品１１に対して水平方向に調整自在に構成することにより、様々な設置箇所の要望に応えることも可能となる。この水平方向の微調整の終了後、ビス４１、４２をより強固に締めて螺着することにより、完全に不動となるように固定するようにしてもよい。
【００５１】
なお、鏡９の幅に対して上側係合部品１１の幅を広く取ることにより、いわゆる遊びしろを設けるようにしてもよい。これにより、様々な設置箇所の要望に応えることが可能となるためである。
【００５２】
また、上下方向の微調整は、下側係合部品１２を介して上方向又は下方向にスライドさせることで行うようにしてもよい。この上下方向の微調整を終了させた後、ビス４３を強固に固定し、その後、更に丸孔３８に対してビス４４を螺着固定するようにしてもよい。
【００５３】
上述の如き構成からなる本発明を適用した鏡９の取付構造では、鏡９を壁面に対してより強固に取り付けることが可能となる。特に本発明では、仮に上側係合部品１１が動いてしまった場合であっても、図１１（ａ）に示すようにビス４１を第２の経路Ａ２の途中に位置させ、ビス４２を第３の経路Ｂ１の終端に位置させた状態で一度止まることになる。この段階でも鏡９は、上側係合部品１１における上側係止板２３を介して係止された状態となっている。この段階から右側にシフトさせても、図１０（ｂ）に示すようにビス４１が第１の経路Ａ１の上端で、かつビス４２が第３の経路Ｂ１の始端で止まることとなるが、この段階でも上側係合部品１１における上側係止板２３を介して係止された状態となっている。従って、鏡９の落下を防止することが可能となる。
【００５４】
このように本発明は、バスユニットのユーザが何かの拍子に上側係合部品１１をスライドさせてしまった場合においても、鏡９が急に落下することが無くなり、何段階にも亘り上側係合部品１１が止まることとなり、鏡９の落下を何段階にも亘り防止することが可能となる。
【００５５】
また、本発明によれば、係合部品１１、１２にバネを設ける必要も無く、鏡９の落下を強固に防止することができるため、製造コストの低減を図ることも可能となる。また本発明によれば、コーキング剤を使用することなく鏡９の落下を強固に防止することも可能となることから、材料コストの低減、コーキング処理に伴う施工労力の低減に加え、コーキング剤が乾燥して使用可能となるまでの時間を考慮する必要も無くなることから、少しでも早くバスユニットを利用したいユーザの希望に応えることも可能となる。
【符号の説明】
【００５６】
１  バスユニット
３  浴槽ユニット
７  洗い場
４  壁ユニット
５  天井ユニット
８  シャワー
９  鏡
１０  手すり
１１  上側係合部品
１２  下側係合部品
２１  上側固定板
２２  上側頂面板
２３  上側係止板
２４、２５、３４、３６  パッキン材
３１  下側固定板
３２  下側底面板
３３  下側係止板
【図１】
0005875872.tif 000002
【図２】
0005875872.tif 000003
【図３】
0005875872.tif 000004
【図４】
0005875872.tif 000005
【図５】
0005875872.tif 000006
【図６】
0005875872.tif 000007
【図７】
0005875872.tif 000008
【図８】
0005875872.tif 000009
【図９】
0005875872.tif 000010
【図１０】
0005875872.tif 000011
【図１１】
0005875872.tif 000012
【図１２】
0005875872.tif 000013
【図１３】
0005875872.tif 000014
【図１４】
0005875872.tif 000015
【図１５】
0005875872.tif 000016